(57)【要約】【課題】現況技術の欠点を克服し、狭域無線通信の迅速で容易な構成を可能にする方法を提供する。【解決手段】本発明は、少なくとも第１の装置と第２の装置との間で無線通信チャネルを構成する方法に関し、当該装置は物理データポートおよび無線通信手段を備え、少なくとも第１の装置および第２の装置の物理データポート間に物理接続を確立するために少なくとも第１の装置および第２の装置の物理データポートを接触させるステップと、物理接続を介して構成データを交換するステップと、無線通信チャネルを構成するステップとを備える。【選択図】図１
2010183576.tif 000002
【特許請求の範囲】
【請求項１】
少なくとも第１の装置と第２の装置との間で無線通信チャネルを構成する方法であって、前記両装置が物理データポートおよび無線通信手段を備え、前記方法が、
−前記少なくとも第１の装置および第２の装置の前記物理データポート間に物理接続を確立するために、前記少なくとも第１の装置および第２の装置の前記物理データポートを接触させるステップ（１０２）と、
−前記物理接続を介して構成データを交換するステップ（１０３）と、
−無線通信チャネルを構成するステップ（１０４、１０６）と、を備える方法。
【請求項２】
前記無線通信チャネルを構成するステップの前に、無線通信タイプを選択するさらなるステップ（１０５）を備える、請求項１に記載の方法。
【請求項３】
前記無線通信がＢｌｕｅｔｏｏｔｈタイプ通信を含む、請求項１および２のいずれか１項に記載の方法。
【請求項４】
前記無線通信がＷＩＦＩタイプ通信を含む、請求項１乃至３のいずれか１項に記載の方法。
【請求項５】
前記物理データポートをアクティブ化するさらなる準備ステップ（１０１）を備える、請求項１乃至４のいずれか１項に記載の方法。
【請求項６】
前記物理接続がＡＬＯＨＡタイプ・プロトコルのようなスロット・タイプ・プロトコルによって管理される、請求項１乃至５のいずれか１項に記載の方法。
【請求項７】
電気通信中に交換される情報が、
−端末ＩＤと、
−利用可能な無線通信インターフェースのリストと、
−前記無線通信を構成してセットアップするために必要とされる情報と、
を含む、請求項１乃至６のいずれか１項に記載の方法。
【請求項８】
少なくとも第１の装置と第２の装置との間で無線通信チャネルを構成するコンピュータプログラムであって、前記両装置が物理データポートと無線通信手段とを備え、前記コンピュータプログラムは、
−前記両装置の前記物理データポートの接触によって形成された物理接続を介して構成データを交換するステップ（１０３）と、
−無線通信チャネルを構成するステップ（１０４、１０６）と
を実行する命令を備える、コンピュータプログラム。
【請求項９】
−無線通信チャネルを構成する構成手段と、
−無線通信を実現する無線通信手段と
を備える無線通信装置であって、
前記構成手段が、別の無線通信装置の物理データポートに接触させられるべき物理データポートを備える、無線通信装置。
【請求項１０】
前記物理データポートが２つの電極１および金属製インターフェース４を備える、請求項９に記載の無線通信装置。
【請求項１１】
前記物理データポートが電気プラグを備える、請求項９に記載の無線通信装置。
【発明の詳細な説明】
【技術分野】
【０００１】
本発明は、狭域通信の分野に関し、より具体的には、そのような通信の構成に関する。
【背景技術】
【０００２】
過去数年の間に、無線装置間の短距離通信を可能にするためにいくつかの技術が開発されてきた。そのような通信は、高いデータレートおよび高い伝送品質でデータを交換することを可能にし、それによって、音声伝送やデータ交換などの広い範囲の用途を提供する。
【０００３】
それにもかかわらず、一度のデータ交換の場合、例えば、名刺交換の場合、現況技術の狭域無線通信技術は、両装置間の通信を構成するためにいくつかの操作を必要とし、構成時間が伝送そのもののために必要とされる時間より長い場合が多い。したがって構成は、狭域無線伝送を使用する際の障害および時間のロスであるように思われる。
【発明の概要】
【発明が解決しようとする課題】
【０００４】
したがって本発明の目的は、現況技術の上述の欠点を克服し、狭域無線通信の迅速で容易な構成を可能にする方法を提供することである。
【課題を解決するための手段】
【０００５】
したがって本発明は、少なくとも第１の装置と第２の装置との間で無線通信チャネルを構成する方法に関し、両装置は、物理データポートおよび無線通信手段を備え、
−第１の装置および第２の装置の物理データポート間に物理接続を確立するために、少なくとも第１の装置および第２の装置の物理データポートを接触させるステップと、
−物理接続を介して構成データを交換するステップと、
−無線通信チャネルを構成するステップと、を備える。
【０００６】
別の実施形態では、方法は、無線通信チャネルを構成するステップの前に無線通信タイプを選択するさらなるステップを備える。
【０００７】
さらなる実施形態では、無線通信は、Ｂｌｕｅｔｏｏｔｈ（登録商標、以下同）タイプ通信を含む。
【０００８】
さらなる実施形態では、無線通信は、ＷＩＦＩ（商標、以下同）タイプ通信を含む。
【０００９】
追加の実施形態では、方法は、物理データポートをアクティブ化するさらなる準備ステップを備える。
【００１０】
別の実施形態では、物理接続は、ＡＬＯＨＡタイプ・プロトコルなどのスロット・タイプ・プロトコルによって管理される。
【００１１】
さらなる実施形態では、電気通信中に交換される情報は、
−端末ＩＤと、
−利用可能な無線通信インターフェースのリストと、
−無線通信を構成してセットアップするために必要とされる情報とを含む。
【００１２】
本発明はまた、少なくとも第１の装置と第２の装置との間で無線通信チャネルを構成するためのコンピュータプログラムに言及し、両装置は、物理データポートおよび無線通信手段を備え、コンピュータプログラムは、
−装置の物理データポートの接触によって形成された物理接続を介して構成データを交換するステップと、
−無線通信チャネルを構成するステップと、を実行するための命令を備える。
【００１３】
本発明はまた、
−無線通信チャネルを構成する構成手段と、
−無線通信を実現する無線通信手段とを備える無線通信装置に言及し、
構成手段は、別の無線通信装置の物理データポートに接触させられるべき物理データポートを備える。
【００１４】
別の実施形態では、物理データポートは、２つの電極および１つの金属製インターフェースを備える。
【００１５】
さらなる実施形態では、物理データポートは、電気プラグを備える。
【図面の簡単な説明】
【００１６】
【図１】本発明の様々なステップを表す概略図である。
【図２】本発明による２つの装置の物理ポートの可能な実施形態の図である。
【図３】本発明の一実施形態を備えた２つの装置間の物理接続の図である。
【図４】本発明の一実施形態を備えた無線装置の外観図である。
【図５】ＡＬＯＨＡデータ交換プロトコルの原理を表すグラフである。
【図６】本発明のシステム・アーキテクチャの可能な実施形態を示す図である。
【発明を実施するための形態】
【００１７】
本明細書では、用語「物理ポート」は、アナログインターフェースを接触または密接に近接させたときに接続を提供することを可能にするインターフェースを指す。
【００１８】
本明細書では、用語「物理接続」は、２つの物理ポートの密接な近接または接触によって実現された接続を指す。
【００１９】
本明細書では、用語「ＣＲＣ」は、接触無線構成（Ｃｏｎｔａｃｔ  Ｒａｄｉｏ  Ｃｏｎｆｉｇｕｒａｔｉｏｎ）の頭字語を指す。
【００２０】
本明細書では、用語「ＣＲＣＰ」は、接触無線構成プロトコル（Ｃｏｎｔａｃｔ  Ｒａｄｉｏ  Ｃｏｎｆｉｇｕｒａｔｉｏｎ  Ｐｒｏｔｏｃｏｌ）の頭字語を指す。
【００２１】
本明細書では、用語「ＰＤＡ」は、携帯情報端末（Ｐｅｒｓｏｎａｌ  Ｄｉｇｉｔａｌ  Ａｓｓｉｓｔａｎｔ）の頭字語を指す。
【００２２】
本発明の概念は、ＷＩＦＩ通信またはＢｌｕｅｔｏｏｔｈ通信などの狭域無線通信の構成を簡略化し容易にすることであり、２つの通信装置の物理ポート間の接続の使用に関する。実際、物理接続は、狭域無線通信をセットアップするために必要とされる構成データを迅速に交換することを可能にする。
【００２３】
次に、図１の図に基づいて本方法の様々なステップを詳細に説明する。第１のステップ（１０１）は、装置のユーザによる物理接続モードのアクティブ化に対応する。アクティブ化は、装置がアテンドされていないときにアクセスを防止するためにパスワードで保護されうる。
【００２４】
第２のステップ（１０２）は、物理ポートを接触させることである。物理ポートのためにいくつかの実施形態が可能である。
【００２５】
第１の実施形態では、ポートは、図２に示されているようなダイポールを備え、図２には２つの端末ポート（ＡおよびＢ）が示されている。各ダイポールは、２つの電極１からなる。両装置を接触させることは、図３に示されているように、電気回路２を生じる。
【００２６】
電気回路２で使用される電流および電圧の値は、電力消費を制限するためにできるだけ小さくなければならないことにも留意しなければならない。
【００２７】
さらに、電極１を保護するために、図４に示されているように、金属製保護物４がそれらを覆うように配置される。したがって、ユーザは、自分の装置のケース３上のこの金属片４のおかげで、ダイポール１の所在位置が分かり、金属片４を他方の装置の電極１と容易に接触させることができる。
【００２８】
電極１は、他の装置との接触を容易にするために、装置上のどこにでも、例えば、装置の角または突起部に、配置されうる。
【００２９】
別の実施形態では、物理ポートはプラグでよく、接続は装置を相互にプラグ接続することにより実現される。
【００３０】
以下のステップ（１０３）は、前述の物理接続を介しての構成データの交換に関する。
【００３１】
データは、例えば、端末ＩＤ、利用可能な無線インターフェース（Ｂｌｕｅｔｏｏｔｈ、ＷＩＦＩなど）のリスト、対応するキーおよびコード（ピン・コード、ＷＩＦＩキー、パスワードなど）など、装置の利用可能な狭域無線通信を構成するために必要とされる全ての情報を備える。
【００３２】
２つの装置間のデータの交換を管理するために、プロトコルが必要とされる。このプロトコルは、例えば、図５に示されているようなＡＬＯＨＡプロトコルでよい。ＡＬＯＨＡプロトコルでは、両装置はエミッタ（ｅｍｉｔｔｅｒｓ）およびリスナ（ｌｉｓｔｅｎｅｒｓ）である。プロトコルは、各装置によって送信されたデータ・パケット間で生じる衝突の管理に関する。基本的には、装置はデータ・パケットを送信する。パケットは他方の装置によって受信されるか、さもなければ、反対方向に伝送されたパケットとの衝突がパケットの受信を妨げる。衝突の場合には、パケットは、衝突が生じなくなるまでランダム量の時間後に再送される。図５の例では、装置Ａは、時間Ｔ１にパケットを送信し、装置Ｂは、時間Ｔ２にパケットを送信する。パケットを伝送する時間がＴ２−Ｔ１より高いので、衝突が生じる。ＡＬＯＨＡプロトコルによれば、装置Ａは、ランダム時間Δｔ１の間待機し、一方、装置Ｂは、ランダム時間Δｔ３の間待機する。したがって、装置Ａは、時間Ｔ３にデータ・パケットを再送する。この場合、装置Ｂが別のパケットを送信する前の時間は伝送のために十分大きいので、衝突は生じない。ランダム効果のため、全ての伝送は、たとえ多くの試行が必要でありうるとしても、結局は完了することになる。
【００３３】
それにもかかわらず、交換される必要があるデータの量は低減されるので、交換の時間は非常に短い。
【００３４】
データ交換後は、物理ポートは、不所望の接続またはハッキングを予防するために、自動的にディスエーブル（ｄｉｓａｂｌｅ）にされる。
【００３５】
ステップ１０４は、受信されたデータの処理に関する。
【００３６】
さらに、いくつかの狭域無線通信タイプが利用可能な場合は、ユーザが所望の通信タイプを選択するために、無線通信タイプ選択の追加のステップ１０５が導入されてよい。しかし、予め決められた基準によって選択が自動的に行われてもよい。例えば、ユーザは自分の好みに応じて異なる通信タイプを分類しておくことができるので、その結果、好ましい利用可能なタイプが選択される。通信タイプが選択されると、選択された通信の構成が実現されうる（ステップ１０６）。実際、構成を行うために必要とされる全ての情報が装置によって利用可能なので、その結果、両装置が構成されるとすぐ通信がセットアップされうる。
【００３７】
本発明が広く使用されるためには、規格が規定される必要がある。提供された解決策は、接触無線構成プロトコル（ＣＲＣＰ）と呼ばれ、対応するアーキテクチャは図６に示されている。
【００３８】
ＣＲＣＰデーモン・プログラムは、プロトコル・アーキテクチャに関与する様々なエンティティを管理する接続コントローラを備える。
【００３９】
図６および本方法の前述の諸ステップに基づいて、ユーザがユーザインターフェース（矢印１および２）を介しての直接接触無線構成（ステップ１０１）をイネーブルにする。次いで、接続コントローラが、メッセージ・フォーマッタ／パーサ（ｍｅｓｓａｇｅ  ｆｏｒｍａｔｅｒ／ｐａｒｓｅｒ）を介して、アクティブ化命令をＣＲＣエミッタ／レセプタに送信する。次いで、構成データが他方の装置と交換され、受信されたデータが、正しいフォーマットのデータを抽出するために、メッセージ・パーサによって処理される（矢印８および９）。次いで、接続機能が、接続機能検出モジュールおよび接続インターフェースを使用して判定される（矢印３、４および７）。接続機能、接続規則、および他方の端末または装置によって伝送された構成データを使用して、接続コントローラは、好ましいインターフェースを選択するか、またはユーザに利用可能な選択肢の中からその好みを選択するよう依頼することができる（ステップ１０４および１０５）。
【００４０】
通信タイプが選択された後は、接続コントローラは、他方の端末によって送信された受信されたメッセージから抽出された構成データを使用して、必要とされるパラメータを構成エンジンに提供する（矢印５）。構成エンジンは、接続インターフェースを介して（矢印６および７）、選択された無線通信インターフェースを構成し（ステップ１０６）、適切な無線インターフェースがターン・オンされる。矢印１０および１１は、認可および接続を取得するためのサービスプロバイダとの通信に対応する。
【００４１】
次に、本発明をよりよく理解するために、本発明の一使用例を説明する。
【００４２】
第１のユーザ、トムが、その友人ボブに出会う。トムは自分の携帯電話のメモリに何枚かのボブの写真を持っており、ボブはそれらの写真を自分の携帯情報端末（ＰＤＡ）に転送してもらいたいと思う。
【００４３】
トムの携帯電話は、Ｂｌｕｅｔｏｏｔｈインターフェースを備え、ボブのＰＤＡは、ＷＩＦＩインターフェースおよびＢｌｕｅｔｏｏｔｈインターフェースを備える。
【００４４】
通信を構成するために、トムおよびボブは、自分の装置のＣＲＣＰをアクティブ化し、それぞれの物理ポートを接触させる。２、３秒後には、両装置間で構成データの交換が完了し、唯一の共通インターフェースであるＢｌｕｅｔｏｏｔｈインターフェースが自動的に選択され構成される。次いで、Ｂｌｕｅｔｏｏｔｈ通信がターン・オンされ、トムは写真をビルに転送できる。構成データ交換の終了後、接触ポートは自動的にディスエーブルにされる。アクティブ化後は、Ｂｌｕｅｔｏｏｔｈ通信は、ユーザがそのＢｌｕｅｔｏｏｔｈモードをターン・オフするまでアクティブのままでもよく、あるいはＢｌｕｅｔｏｏｔｈ機能の非アクティビティの予め決められた量の時間後に非アクティブになってもよい。
【００４５】
さらに、本発明は、ポータブル装置間のデータ交換に限定されるのではなく、いかなるタイプの狭域通信のためにも使用されうる。例えば、携帯電話がＴＶセットのためのＢｌｕｅｔｏｏｔｈリモート制御として使用されてよい。この場合、Ｂｌｕｅｔｏｏｔｈ構成はまた、前述のように実現される。
【００４６】
したがって、前述の発明は、物理データポート間の接触接続の使用のおかげで、保護されたプロトコルを保持しながら、必要とされる時間を低減し、狭域無線通信の構成を簡略化することを可能にする。
【図１】
2010183576.tif 000003
【図５】
2010183576.tif 000004
【図２】
2010183576.tif 000005
【図３】
2010183576.tif 000006
【図４】
2010183576.tif 000007
【図６】
2010183576.tif 000008
【外国語明細書】
2010183576.tif 000009
2010183576.tif 000010
2010183576.tif 000011
2010183576.tif 000012
2010183576.tif 000013
2010183576.tif 000014
2010183576.tif 000015
2010183576.tif 000016
2010183576.tif 000017
2010183576.tif 000018
2010183576.tif 000019
2010183576.tif 000020
2010183576.tif 000021
2010183576.tif 000022
2010183576.tif 000023
2010183576.tif 000024
2010183576.tif 000025